【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
記録媒体上の同一領域に対して、記録ヘッドをＮ回（Ｎは２以上の整数）記録走査させて、前記記録媒体上に画像を形成する画像形成装置であって、
前記記録走査の各々に対応する記録データを生成する記録データ生成手段と、
前記記録データ生成手段で生成された記録データに基づいて、前記記録媒体に前記画像を記録する記録手段と、
ｋ回目（ｋは２≦ｋ≦Ｎを満たす整数）の記録走査とともに、前記記録手段による（ｋ−１）回目までの記録走査により前記記録媒体上に記録された画像の記録状態を検出する検出手段と、
前記検出手段により検出された（ｋ−１）回までの記録状態に基づいて、前記記録データ生成手段によって生成されたｋ回目の記録走査の記録データを補正する補正手段と、
Ｎ回の記録走査のうち、前記補正手段による補正を行う記録走査を選択する選択手段と、
を有することを特徴とする画像形成装置。
【請求項２】
前記検出手段は、前記記録ヘッドに付設されていることを特徴とする請求項１に記載の画像形成装置。
【請求項３】
前記選択手段は、前記検出手段による前記検出が前記記録手段による前記記録よりも先行する方向の記録走査を選択することを特徴とする請求項１又は２に記載の画像形成装置。
【請求項４】
前記記録走査の各々の記録濃度比率を設定する設定手段を更に有し、
前記設定手段は、前記選択手段により選択された補正を行う記録走査に対して、前記補正を行わない記録走査と比べて、前記記録濃度比率を高く設定し、
前記記録データ生成手段は、前記設定された記録濃度比率を用いて前記記録データを生成することを特徴とする請求項１乃至３のいずれか一項に記載の画像形成装置。
【請求項５】
前記設定手段は、入力画像の濃度に基づいて前記記録濃度比率を設定することを特徴とする請求項４に記載の画像形成装置。
【請求項６】
前記設定手段は、前記選択手段により前記選択された記録走査について、前記入力画像の濃度が所定閾値より小さい場合の前記記録濃度比率を前記入力画像の濃度が前記所定閾値以上である場合の前記記録濃度比率よりも高く設定することを特徴とする請求項５に記載の画像形成装置。
【請求項７】
前記設定手段は、前記入力画像の濃度が所定閾値より小さい場合、１回目の記録走査による記録が少なくとも予め定められた濃度となるように前記記録濃度比率を設定することを特徴とする請求項５又は６に記載の画像形成装置。
【請求項８】
記録媒体上の同一領域に対して、記録ヘッドをＮ回（Ｎは２以上の整数）記録走査させて、前記記録媒体上に画像を形成する画像形成装置であって、
前記記録走査の各々に対応する記録データを生成する記録データ生成手段と、
前記記録データ生成手段で生成された記録データに基づいて、前記記録媒体に前記画像を記録する記録手段と、
ｊ回目（ｊは１≦ｊ≦Ｎ−１を満たす整数）の記録走査とともに、前記記録手段によるｊ回目までの記録走査により前記記録媒体上に記録された画像の記録状態を検出する検出手段と、
前記検出手段により検出されたｊ回目までの記録状態に基づいて、前記記録データ生成手段によって生成された（ｊ＋１）回目の記録走査の記録データを補正する補正手段と、
Ｎ回の記録走査のうち、前記補正手段による補正を行う記録走査を選択する選択手段と、
を有することを特徴とする画像形成装置。
【請求項９】
画像形成装置が備えるコンピュータが読み込み実行することで、該画像形成装置を請求項１乃至８の何れか一項に記載の画像形成装置として機能させることを特徴とするコンピュータプログラム。
【請求項１０】
記録媒体上の同一領域に対して、記録ヘッドをＮ回（Ｎは２以上の整数）記録走査させて、前記記録媒体上に画像を形成する画像形成装置が実行する画像形成方法であって、
記録データ生成手段が、前記記録走査の各々に対応する記録データを生成する記録データ生成工程と、
記録手段が、前記記録データ生成工程で生成された記録データに基づいて、前記記録媒体に前記画像を記録する記録工程と、
を含み、
前記記録工程は、
ｋ回目（ｋは２≦ｋ≦Ｎを満たす整数）の記録走査とともに、前記記録手段による（ｋ−１）回目までの記録走査により前記記録媒体上に記録された画像の記録状態を検出する検出工程と、
前記検出工程により検出された（ｋ−１）回までの記録状態に基づいて、前記記録データ生成工程によって生成されたｋ回目の記録走査の記録データを補正する補正工程と、
Ｎ回の記録走査のうち、前記補正工程による補正を行う記録走査を選択する選択工程と、
を含むことを特徴とする画像形成方法。
【請求項１１】
記録媒体上の同一領域に対して、記録ヘッドをＮ回（Ｎは２以上の整数）記録走査させて、前記記録媒体上に画像を形成する画像形成装置が実行する画像形成方法であって、
記録データ生成手段が、前記記録走査の各々に対応する記録データを生成する記録データ生成工程と、
記録手段が、前記記録データ生成工程で生成された記録データに基づいて、前記記録媒体に前記画像を記録する記録工程と、
を含み、
前記記録工程は、
ｊ回目（ｊは１≦ｊ≦Ｎ−１を満たす整数）の記録走査とともに、前記記録手段によるｊ回目までの記録走査により前記記録媒体上に記録された画像の記録状態を検出する検出工程と、
前記検出工程により検出されたｊ回目までの記録状態に基づいて、前記記録データ生成工程によって生成された（ｊ＋１）回目の記録走査の記録データを補正する補正工程と、
Ｎ回の記録走査のうち、前記補正工程による補正を行う記録走査を選択する選択工程と、
を含むことを特徴とする画像形成方法。
【手続補正２】
【補正対象書類名】明細書
【補正対象項目名】０００７
【補正方法】変更
【補正の内容】
【０００７】
上述の問題点を解決するために、本発明の画像形成装置は以下の構成を備える。すなわち、記録媒体上の同一領域に対して、記録ヘッドをＮ回（Ｎは２以上の整数）記録走査させて、前記記録媒体上に画像を形成する画像形成装置において、前記記録走査の各々に対応する記録データを生成する記録データ生成手段と、前記記録データ生成手段で生成された記録データに基づいて、前記記録媒体に前記画像を記録する記録手段と、ｋ回目（ｋは２≦ｋ≦Ｎを満たす整数）の記録走査とともに、前記記録手段による（ｋ−１）回目までの記録走査により前記記録媒体上に記録された画像の記録状態を検出する検出手段と、前記検出手段により検出された（ｋ−１）回までの記録状態に基づいて、前記記録データ生成手段によって生成されたｋ回目の記録走査の記録データを補正する補正手段と、Ｎ回の記録走査のうち、前記補正手段による補正を行う記録走査を選択する選択手段と、を有する。
【手続補正３】
【補正対象書類名】明細書
【補正対象項目名】０００８
【補正方法】変更
【補正の内容】
【０００８】
また、上述の問題点を解決するために、本発明の画像形成装置は以下の構成を備える。すなわち、記録媒体上の同一領域に対して、記録ヘッドをＮ回（Ｎは２以上の整数）記録走査させて、前記記録媒体上に画像を形成する画像形成装置において、前記記録走査の各々に対応する記録データを生成する記録データ生成手段と、前記記録データ生成手段で生成された記録データに基づいて、前記記録媒体に前記画像を記録する記録手段と、ｊ回目（ｊは１≦ｊ≦Ｎ−１を満たす整数）の記録走査とともに、前記記録手段によるｊ回目までの記録走査により前記記録媒体上に記録された画像の記録状態を検出する検出手段と、前記検出手段により検出されたｊ回目までの記録状態に基づいて、前記記録データ生成手段によって生成された（ｊ＋１）回目の記録走査の記録データを補正する補正手段と、Ｎ回の記録走査のうち、前記補正手段による補正を行う記録走査を選択する選択手段と、を有する。